(57)【要約】【課題】使用者が操作ディスクに加えた力が直接モータに伝達されず、モータに加わる負荷が小さく、従ってモータの劣化、故障を少なくすることのできる光ディスク再生装置を提供する。【解決手段】第１の回転軸３ａを備えたモータ３と、第１の回転軸３ａとは別置の第２の回転軸１７、第２の回転軸１７に同期して回転する操作ダイヤル１２、および摩擦部材を介して操作ダイヤル１２上に配設された操作ディスク２５と、モータ３の回転駆動力を操作ダイヤル１２に伝達するベルト３１と、操作ディスク２５の回転速度回転方向を検出する検出手段と、検出手段が検出した操作ディスク２５の回転速度および回転方向に応じて、記憶手段に記憶したオーディオデータの読出し速度および読出し順序を制御する制御手段とを備えて光ディスク再生装置を構成する。【選択図】　図２
2004039121.tif 000002
【特許請求の範囲】
【請求項１】
光ディスクに記録されたデータを再生する再生手段と、該再生手段が再生したデータを記録する記憶手段を備える光ディスク再生装置において、
第１の回転軸を備えたモータと、該第１の回転軸とは別置の第２の回転軸と、該第２の回転軸に同期して回転する操作ダイヤルと、前記モータの回転駆動力を前記操作ダイヤルの回転駆動力として伝達する駆動力伝達手段と、前記操作ダイヤルの回転速度を検出する検出手段と、該検出手段が検出した前記操作ダイヤルの回転速度および回転方向に応じて前記記憶手段から読み出すデータの読出速度および読出順序を制御する制御手段とを備えたこと
を特徴とする光ディスク再生装置。
【請求項２】
光ディスク記録されたデータを再生する再生手段と、該再生手段が再生したデータを記録する記憶手段を備える光ディスク再生装置において、
第１の回転軸を備えたモータと、該第１の回転軸とは別置の第２の回転軸、該第２の回転軸に同期して回転する操作ダイヤル、および摩擦部材を介して該操作ダイヤル上に配設された操作ディスクと、前記モータの回転駆動力を前記操作ダイヤルに伝達する駆動力伝達手段と、前記操作ディスクの回転速度および回転方向を検出する検出手段と、該検出手段が検出した前記操作ディスクの回転速度および回転方向に応じて前記記憶手段から読み出すデータの読出速度および読出順序を制御する制御手段とを備えたこと
を特徴とする光ディスク再生装置。
【請求項３】
光ディスクに記録されたデータを再生する再生手段と、該再生手段が再生したデータを記憶する記憶手段と、操作ダイヤルとを備え、該操作ダイヤルの回転速度および回転方向に応じて前記記憶手段から読み出すデータの読出速度および読出順序を可変にする光ディスク再生装置において、
第１の回転軸を備えたモータと、該第１の回転軸とは別置され、軸方向において第１の回転軸と並行配置された第２の回転軸を備えた操作ダイヤルと、前記モータの回転駆動力を前記操作ダイヤルの回転駆動力として伝達する駆動力伝達手段とを備えたこと
を特徴とする光ディスク再生装置。
【請求項４】
請求項３において、前記モータは前記操作ダイヤルの周辺部の直下に配置され、前記第１の回転軸は操作ダイヤルに向かって直立することを特徴とする光ディスク再生装置。
【請求項５】
請求項１乃至請求項３において、前記駆動力伝達手段はベルトであり、該ベルトは前記操作ダイヤルの直下に配設されることを特徴とする光ディスク再生装置。
【発明の詳細な説明】
【０００１】
【発明の属する技術分野】
本発明は、光ディスクから再生したオーディオデータの再生速度および再生順序を変化させることができる操作ダイヤルを備えた光ディスク再生装置に関する。
【０００２】
【従来の技術】
光ディスク再生装置は、操作パネルに光ディスクの出し入れを操作するインジェクトボタン、再生の開始を行うプレイボタンや停止を行うストップボタン、操作ダイヤル、すなわちジョグタイヤル、再生速度を可変するピッチボリューム、表示部を備え、更に装置内に光ディスクを装填してターンテーブルに載置し、光ディスクに記録されている情報を光ピックアップで再生する再生部と、再生部で再生して音声出力を出力する出力端子と、再生部を制御する制御部と、電源スイッチを備える。
そして、操作ダイヤルを回転する事により、再西武による再生動作を制御パルスが出力される。
【０００３】
【発明が解決しようとする課題】
ＤＪ（Ｄｉｓｋ　Ｊｏｃｋｅｙ）がベースビートを合わせるために操作ダイヤルを操作し、終了するためにＤＪが操作ダイヤルから手を離しても操作ダイヤルに慣性モーメントが働くため、操作ダイヤルの回転が瞬時に停止しない。そのため、回転が停止するまでの期間、操作ダイヤルから制御パルスが出力されるので通常の再生速度に戻る時間が掛かる問題がある。
【０００４】
また、ＤＪがスクラッチ操作を行った後、操作ダイヤルから手を離しても、やはり操作ダイヤルの回転は停止しないので、通常の再生速度に戻る時間が掛かる問題がある。また、瞬時に通常の再生速度に戻るために、プレイボタンや専用のボタンを押すことにより操作ダイヤルからの出力パルスを無視する方法も有るが、そのために操作手順を増やすという問題がある。
【０００５】
これらの問題を解決するために本件出願人は、先に「光ディスク再生装置」（特願２００２−１５３５１４号）を提案した。この光ディスク再生装置は、光ディスクに記録されたオーディオデータを再生する再生部と、前記再生部が再生したオーディオデータを記憶する記憶部と、前記記憶部に記憶したオーディオデータの読み出し速度及び読み出し順序を指示する読出指示部とを備えた光ディスク再生装置において、前記読出指示部は操作円盤部と前記操作円盤部を載置する円盤部と前記操作円盤部及び前記円盤部を回転駆動する駆動部と前記操作円盤部の回転速度及び回転方向を検出し第１パルス信号を発生する第１検出部と、前記円盤部の回転速度及び回転方向を検出し第２パルス信号を発生する第２検出部と、前記第１検出部が発生する第１パルス信号により前記記憶部に記憶したオーディオデータの読み出し速度及び読み出し順序を制御し、前記第２検出部が発生する第２パルス信号により前記駆動部を制御する制御部を備えることを特徴としている。
【０００６】
このような構成において、使用者が操作円盤部を回転操作する場合において、使用者が操作円盤部に加えた力が直接モータに伝達しないことによってモータに加わる負荷を小さくすることが要望されるようになった。
【０００７】
本発明は、かかる点に鑑み、使用者が操作ダイヤルに加えた力が直接モータに伝達されず、モータに加わる負荷が小さく、従ってモータの劣化、故障を少なくすることのできる光ディスク再生装置を提供することを目的とする。
また、使用者の操作感を向上させるために操作ダイヤルが大型化すると光ディスク再生装置も大型化するため、限られたＤＪブースに配置出来なくなってしまうということがある。
【０００８】
本発明は、更に操作ダイヤルとモータとの配置を自由に決めるようにして装置を小型化、薄型化するようにした。
【０００９】
【課題を解決するための手段】
そのため、本発明の光ディスク再生装置によれば、光ディスクに記録されたデータを再生する再生手段と、再生手段が再生したデータを記憶する記憶手段と操作ダイヤルとを備えた光ディスク再生装置において、操作ダイヤルをモータで回転させ、操作ダイヤルの回転速度および回転方向を検出する検出手段を設け、モータ回転軸と操作ダイヤル回転軸を分離し、すなわち別置構造とし、検出手段が検出した操作ダイヤルの回転速度及び回転方向に応じて記憶手段から読み出すデータの読出速度および読出順序を制御するように構成した。
【００１０】
【発明の実施の形態】
以下、本発明の実施例を図面に基づいて説明する。
図１は、光ディスク再生装置の概略構成図である。
図１において、光ディスク再生装置１は、操作パネル２に光ディスクの出し入れを操作するインジェクトボタン４０、再生の開始を行うプレイボタン３８や停止を行うストップボタン３７、操作ダイヤル１２、再生速度を可変するピッチボリューム３９、表示部４１を備える。装置内に光ディスクを装填してターンテーブルに載置し、光ディスクに記憶されている情報を光ピックアップで再生する再生部と、再生部で再生して音声出力を出力する出力端子と、再生部を制御する制御部と、電源スイッチを備える。
【００１１】
そして、操作ダイヤル１２を回転する事により、再生部の再生動作を制御する制御パルスが出力される。
一般的に使用者であるＤＪが使用する装置はサーチ機能、ピッチベンド機能、スクラッチ機能に操作ダイヤル１２を使用する。
【００１２】
サーチ機能とは、出力される制御パルスのパルス数に合わせて、１パルスに対して、１フレームの割合で再生する記録情報の再生目標位置にサーチすることができ、記録情報の再生目標位置を正確に検索できる機能である。操作ダイヤル１２を時計方向に回すと再生位置が進み、反時計方向に回すと再生位置が戻る。
【００１３】
ピッチベンド機能とは、出力される制御パルスのパルス数に合わせて、再生中のオーディオ信号の再生スピードを一時的に可変させる機能である。操作ダイヤル１２を時計方向に回すと再生スピードが一時的に早くなり、反時計方向に回すと再生スピードが一時的に遅くなる。これにより、現在再生中のオーディオ信号の次に再生予定のオーディオ信号のベースビートを容易に合わせることができる。
【００１４】
スクラッチ機能とは、出力される制御パルスのパルス数に合わせて、光ディスク再生装置本体に内蔵してあるメモリ内のオーディオ信号を出力する機能である。１パルスに対し、１フレームの割合でオーディオ信号を出力し、時計方向に回すとオーディオ信号の読み出し順序が昇順し、反時計方向に回すとオーディオ信号の読み出し順序が降順する。
【００１５】
また、操作ダイヤル１２を早く回転させることにより、出力される制御パルスのパルス数からスピードを判断し、メモリ内のオーディオ信号の読み出しスピードを調整する。
【００１６】
図２は光ディスク再生装置の操作ダイヤル１２の概略構成図である。
図２において、光ディスク再生装置１の操作パネル２にモータ３がネジ４で取り付けてある。モータ３の回転軸３ａにはプーリ５がネジ６で固定してある。
操作パネル２は、軸受け２ａをインサート成形、すなわち一体成形（以下同じ）してある。
【００１７】
操作ダイヤル１２用の第２のスケール保持部７はスケール８をネジ９で取り付けてある。また、第２のスケール保持部７は軸受け２ａをインサート成形してある。スケール保持部７は、ワッシャー１０を介して操作パネル２の軸受け２ａに挿入して、Ｅリング１１で保持してある。操作ダイヤル１２はネジ１３で第２のスケール保持部７に取り付けてある。また、操作ダイヤル１２の裏面にはプーリ部１２ａが設けてある。
操作ダイヤル１２用のスケール８によりパルスを出力する光センサ１４は基板１５に取り付け、ネジ１６で操作パネル２に取り付けてある。
【００１８】
操作ディスク保持シャフトである回転軸１７は軸受け２ａをインサート成形してある。回転軸１７は操作パネル２の軸受け２ａにワッシャー１８を介して挿入して、保持されている。操作ディスク２５用の第１のスケール保持部１９はワッシャー２０を介して回転軸１７に挿入して、ネジ２１でスケール保持部１９を取り付けてある。第１のスケール保持部１９にはスケール２２をネジ２３で取り付けてある。操作ディスク２５用のスケール２２により、制御パルスを出力する光センサ２８は基板２９に取り付け、ネジ３０で操作パネル２に取り付けてある。
【００１９】
操作ダイヤル１２の上にリング状部材２４、操作ディスク２５を置き、操作ディスク保持部２６をネジ２７で回転軸１７に取り付けることにより、リング状部材２４と操作ディスク２５を保持してある。操作ディスク２５に設けてある突起部２５ａは操作ディスク保持部２６の穴２６ａに挿入してあり、操作ディスク２５が回転すると一緒に第１のスケール保持部１９が回転する。
【００２０】
光センサ１４、光センサ２８が制御パルスを出力するためにスケール８、スケール２２には、スリット（開口部）が設けてある。スケール８、スケール２２の材質が金属の時は、スリットは長方形状の穴にする。スケール８、スケール２２の材質が透明又は半透明のプラスチックの時は、スケール部は印刷にする。スケール部の印刷塗料にカーボンを含ませると、光センサ６４、光センサ２８がスケール部を検出する効果が上がる。
リング状部材２４は摩擦係数が小さいプラスチックまたはプラスチック繊維が適している。その上、静電気が蓄えられない材料だと良い。
【００２１】
光センサ１４、光センサ２８は同一構成であってもよい。また、光センサ１４、光センサ２８は１つのユニットの中に２つの光センサが組み込まれているが、各々２個の光センサを光センサ１４、光センサ２８の位置に配置してもよい。
モータ３の軸３ａに固定してあるプーリ５のプーリ部５ａと、操作ダイヤル１２のプーリ部１２ａにベルト３１が掛けてある。
【００２２】
図３に、プーリ部５ａとプーリ部１２ａにベルト３１を取り付けた状態を示す。図において、操作ダイヤル１２のプーリ部１２ａとモータ３によって回転するプーリ部５ａとの間にベルト３１を配設する。この構成によってモータ３の回転駆動力はベルト３１を介してプーリ部１２ａに伝達される。これによってモータの回転駆動力を操作ダイヤル１２の回転駆動力として伝達する駆動力伝達手段が構成される。
【００２３】
このような構成で、モータ３が回転すると、モータ３の回転軸３ａに取り付けてあるプーリ５が回転し、プーリ５が回転することで、プーリ５のプーリ部５ａと操作ダイヤル１２のプーリ部１２ａに掛けられているベルト３１に駆動が伝達され、操作ダイヤル１２が回転し始める。操作ダイヤル１２が回転し始めると操作ディスク２５と操作ダイヤル１２に挟まれているリング状部材２４は、摩擦係数が小さい部材であるが、操作ダイヤル１２が回転すると操作ディスク２５の自重で一緒に回転する摩擦力が発生するくらいの摩擦係数を持つ部材とする。よって、操作ダイヤル１２が回転すると合わせてリング状部材２４と操作ディスク２５が回転する。このようにして操作ダイヤル１２に変速手段が設けられる。
【００２４】
また、ネジ２７とネジ１３を取り外すことにより、操作ダイヤル１２が容易に取り外せ、かつ、操作ダイヤル１２に穴１２ｂが設けてあるのでベルト３１の掛け外しやベルト３１の交換が容易にできる。
【００２５】
図３に、操作ダイヤル１２に穴１２ｂを形成する状況を示す。図に示すように穴１２ｂは、プーリ部１２ａの周辺部の一部に形成される。
【００２６】
以上のように、第１の回転軸３ａを備えたモータ３と、第１の回転軸３ａとは別置の第２の回転軸を備え、かつ操作ディスク２５等の変速手段を備えた操作ダイヤル１２と、モータ３の回転駆動力を操作ダイヤル１２の回転駆動力として伝達する駆動力伝達手段であるベルト３１と、操作ダイヤル１２および操作ディスクの回転速度および回転方向を検出する検出手段を備えた光ディスク再生装置が構成される。
【００２７】
ところで、図２に示すように、モータ３は操作ダイヤル１２の周辺部の直下に配置され、回転軸１７は中央に位置し、回転軸３ａおよびプーリ部５ａは、操作ダイヤル１２の裏面に向って直立して構成される。そして、別体とされた回転軸３ａと回転軸１７とは軸方向においてお互いに一部がラップ（重ね合わせ）した状態で並行配置される。そして、この配置によれば操作ダイヤル１２の周辺部直下の遊休域を当該配置のために活用することができるようになる。この構成によって装置の小型化および薄型化が可能になる。
【００２８】
このように、第１の回転軸３ａを備えたモータ３と、第１の回転軸３ａとは別置され、軸方向において第１の回転軸３ａとラップした並行配置の第２の回転軸１７を備えた操作ダイヤル１２と、操作ダイヤル上に配設した操作ディスク２５と、モータ３の回転駆動力を操作ダイヤル１２の回転駆動力として伝達する駆動力伝達手段、すなわちベルト３１とを備えた光ディスク再生装置が構成される。
【００２９】
図４は、本発明の操作ダイヤル１２を装備した光ディスク再生装置１のブロック図である。
操作部３３の操作パネル２に配置してあるプレイボタン３８を押すとマイコン３２に制御信号が入り、モータ３を回転させる。モータ３が回転するとモータ３に取り付けてあるプーリ５と操作ダイヤル１２のプーリ部１２ａに掛けてあるベルト３１を介して操作ダイヤル１２が回転し、操作ダイヤル１２に取り付けてあるスケール８が光センサ１４を通過することによりマイコン３２に制御パルスを出力する。マイコン３２は光センサ１４から出力された制御パルスにより、操作ダイヤル１２の回転速度を計算して、予め定められた回転速度になるようにモータ３を制御する。
【００３０】
すなわち、第１の光センサ部である光センサ２８は、スケール２２のスリット部の開口部を検出し、操作ディスク２５の回転状態（回転速度および回転方向）に応じた第１制御パルスを発生しマイコン３２に入力する。また、第２の光センサである光センサ１４は、スケール８のスリット部の開口部を検出し、操作ダイヤル１２の回転状態に応じた第２制御パルスを発生しマイコン３２に入力する。操作ディスク２５を操作しているとき、予め定められた速度で回転している操作ダイヤル１２の回転速度が変化すると、制御部であるマイコン３２は、第２の光センサを形成する光センサ１４から一定時間に入力された第２制御パルスのパルス数に応じて、操作ディスク２５の回転速度が予め定められた速度を保つようにモータ３を制御する。操作ディスク２５は操作ダイヤル１２と一緒に回転するので、操作ディスク２５に取り付けてあるスケール２２が光センサ２８を通過することによりマイコン３２に第１制御パルスが出力される。
【００３１】
再生部３４に光ディスクを挿入し、操作部３３の操作パネル２に配置してあるプレイボタン３８を押すとマイコン３２からの制御信号により再生部３４は光ディスクのオーディオデータを読みとる。再生部３４が読みとったオーディオデータは再生部３４がメモリ３５に送り、メモリ３５に一旦蓄えられる。蓄えられたオーディオデータはマイコン３２からの指示によりオーディオ出力部３６に送られる。
【００３２】
ＤＪの一般的な操作における本実施例の光ディスク再生装置の再生動作を図２、図４を用いて説明する。
ＤＪは、通常２台の光ディスク再生装置を使用して演奏を行い、１台が演奏中の場合もう１台は次に演奏する曲の準備に使用する。光ディスク再生装置１に光ディスクを挿入し次に演奏する曲を選択する。今演奏している曲と次に演奏する曲の再生速度をピッチボリューム３９で調整する。今演奏している曲と次に演奏する曲の再生速度が一致してもベースビートがずれているので、ベースビートを合わせるために、一時再生速度を可変させる。この操作を本実施例の光ディスク再生装置で説明すると、操作ダイヤル１２は予め定められた速度で回転していて、リング状部材２４の摩擦力により操作ディスク２５も合わせて回転している。リング状部材２４は摩擦係数が小さいので、操作ディスク２５をＤＪが指で触れると、操作ダイヤル１２の回転速度は変化せずに操作ディスク２５の回転速度を変化させることができる。このとき、マイコン３２は、光センサ１４と光センサ２８から出力される制御パルスの差で出力されるオーディオデータの再生速度を決定し、メモリ３５に蓄えてあるオーディオデータの読出速度を制御する。ＤＪが操作ディスク２５の回転速度を上げると、光センサ２８から出力される第１制御パルスのパルス数が増えることにより、再生スピードが上がり、ＤＪが操作ディスク２５の回転速度を下げると、光センサ２８から出力される第１制御パルスのパルス数が減ることにより、再生スピードが下がる。そして、ＤＪが操作ディスク２５から手を離すと、操作ダイヤル１２は予め定められた速度で回転しているので、操作ディスク２５はリング状部材２４の摩擦力により操作ダイヤル１２の回転速度と同じ速度で回転し始める。これにより、光センサ２８は通常再生の第１制御パルスを出力し、光ディスク再生装置１は通常再生を始める。
【００３３】
次にＤＪの本実施例の光ディスク再生装置でのスクラッチ操作について説明する。
ＤＪの指が回転している操作ディスク２５に触れて、操作ディスク２５の回転を止める。このとき、操作ダイヤル１２は予め定められた速度で回転し続ける。操作ディスク２５の回転が止まると光センサ２８から第１制御パルスが出力されなくなるので、マイコン３２はメモリ３５に蓄えてあるオーディオデータの読出を止める。ＤＪがその後、操作ディスク２５を小刻みに操作ダイヤル１２の回転方向に対して正逆方向に回転させると、光センサ２８からパルスが出力される。マイコン３２は、光センサ２８から一定時間に出力される第１制御パルスのパルス数と２つの第１制御パルスの位相関係から、メモリ３５内のオーディオデータの読出速度、読出順序を決定してメモリ３５を制御する。ＤＪがスクラッチ装置を終え操作ディスク２５から指を離すと操作ディスク２５は操作ダイヤル１２の回転速度に合わせて回転を始める。これにより、光センサ２８は通常再生の第１制御パルスを出力し、光ディスク再生装置１は通常再生を始める。
【００３４】
本実施例の光ディスク再生装置によれば、操作ダイヤル１２が回転することにより、操作ダイヤル１２の操作を終えた後、瞬時に通常再生に戻ることができる。
すなわち、本発明の一実施例であるＣＤプレーヤを用いて、スクラッチ再生を行う場合、ＤＪは、手で操作ディスク２５を素早く正方向又は逆方向に回転させる操作を繰り返す。マイコン３２は、第１の光センサ部である光センサ２８から入力される第１パルスから、操作ディスク２５の回転速度および回転方向を判別する。マイコン３２は、判別した回転速度および回転方向に応じて、メモリ制御部（図示せず）を制御する。メモリ制御部は、ＲＡＭ（メモリ３５）に記憶されたデジタルオーディオデータの読出速度および読出順序（オーディオデータを昇順アドレスで読み出すまたは降順で読み出す）を制御する。メモリ３５から読み出されたデジタルオーディオデータは、アナログオーディオ信号に変換され、アンプ（図示せず）より増幅されて出力端子に接続したオーディオ出力部３６から擦れ音のような効果音として出力される。
【００３５】
以上のように、第１の回転軸３ａを備えたモータ３と、第１の回転軸３ａとは別置の第２の回転軸１７、第２の回転軸に同期して回転する操作ダイヤル１２、および摩擦部材を介して操作ダイヤル１２上に配設された操作ディスク２５とモータ３の回転駆動力を操作ダイヤル１２に伝達するベルト３１と、光センサ２８を備えた操作ディスク２５の回転速度回転方向を検出する検出手段と、検出手段が検出した操作ディスク２５の回転速度および回転方向に応じて記憶手段に記憶されたオーディオデータを読み出す読出速度および読出順序を制御する制御手段とを備えた光ディスク再生装置１が構成される。
【００３６】
本実施例によれば、アナログレコード装置で通常操作しているＤＪは回転している円盤にベースビートを合わせる操作やスクラッチ操作を本発明の光ディスク再生装置の回転する操作ダイヤルで同じ操作ができる。
また、モータ回転軸と操作ダイヤル回転軸を分離することにより、モータの配置に自由度が増し、光ディスク再生装置を小さくすることができる。
【００３７】
【発明の効果】
以上のように、本発明によれば、モータ３の回転軸３ａと操作ダイヤル１２の回転軸１７が別体とされ、モータ３の回転駆動力が、駆動力伝達手段（ベルト）を介して操作ダイヤル１２に伝達する構成としていることにより、使用者が操作ダイヤル１２上に配設された操作ディスク２５を回転操作する場合において、使用者が操作ディスク２５に加えた力が直接モータ３に伝達しないため、モータ３に加わる負荷を小さくすることができる。このため、モータ３の劣化、故障を防ぐことができる。また、操作ダイヤル１２とモータ３の配置を自由に決めることが可能となるので、従来より装置を小型化、薄型化できるため、設計の自由度が大きくなる。
【図面の簡単な説明】
【図１】光ディスク再生装置の概略構成図である。
【図２】本発明の一実施例を示す操作ダイヤルの概略構成図である。
【図３】操作ダイヤルの背面図である。
【図４】本発明の一実施例を示す光ディスク再生装置のブロック図である。
【符号の説明】
１…光ディスク再生装置、２…操作パネル、２ａ…軸受け、３…モータ、３ａ…回転軸、５…プーリ、５ａ…プーリ部、８…スケール、１２…操作ダイヤル（ジョグダイヤル）、１２ａ…プーリ部、１２ｂ…穴、１４…光センサ、１５…基板、１７…回転軸（ディスク保持シャフト）、２２…スケール、２５…操作ディスク、２５ａ…突起部、２６…操作ディスク保持部、２６ａ…穴、２８…光センサ、３１…ベルト、３２…マイコン、３３…操作部、３４…光ディスク再生部、３５…メモリ、３６…オーディオ出力部、３７…ストップボタン、３８…プレイボタン、３９…ピッチボリューム、４０…イジェクトボタン、４１…表示部。
【図１】
2004039121.tif 000003
【図２】
2004039121.tif 000004
【図３】
2004039121.tif 000005
【図４】
2004039121.tif 000006